(57)【要約】【課題】  サイドレールの段差部に引き出しフックが取り付けられても、冷気がもれないようなフック用保冷シールを提供する。【解決手段】  冷蔵・冷凍ウイング車の床部１０と段差部Ｄを形成するように固着され、長手方向に延びる長尺のサイドレール２０に引き出し可能に取り付けられるフック３０用の保冷シールであって、前記フック３０が差し込まれる貫通孔５１が２個所形成され、その間の位置にフックヘソ挿入穴５６が形成されたシール本体部５２と、前記段差部Ｄの前記フック３０前後に固定された略円筒状の長尺シールガスケット４０に接続される接続部５３を備える。【選択図】      図３
2005037094.tif 000002
【特許請求の範囲】
【請求項１】
冷蔵・冷凍ウイング車の床部と段差部を形成するように固着され、長手方向に延びる長尺のサイドレールに引き出し可能に取り付けられるフック用の保冷シールであって、
前記フックが差し込まれる複数の貫通孔が形成されたシール本体部と、
前記段差部の前記フック前後に固定された略円筒状の長尺シールガスケットに接続される接続部を備えるフック用保冷シール。
【請求項２】
略円筒状の短尺シールガスケットとこの短尺シールガスケットに挿着された丸棒状弾性体からなるフック用保冷シールであって、
前記接続部は、前記丸棒状弾性体の両端部であり、該両端部がそれぞれ前記長尺シールガスケットに差し込まれて接続されることを特徴とする請求項１記載のフック用保冷シール。
【請求項３】
前記シール本体部に前記貫通孔が２個所形成され、その間の位置にフックヘソ挿入穴が形成された請求項１記載のフック用保冷シール。
【請求項４】
前記複数の貫通孔に後付け用の切り込みが入れられた請求項１又は３記載のフック用保冷シール。
【請求項５】
前記丸棒状弾性体は前記短尺シールガスケットに接着されることを特徴とする請求項２記載のフック用保冷シール。
【請求項６】
前記シール本体部は前記床部に形成された取付レールに嵌め込まれる嵌合部が形成された請求項１又は３記載のフック用保冷シール。
【発明の詳細な説明】
【技術分野】
【０００１】
本発明は、フック用保冷シールに関する。さらに詳しくは、冷蔵・冷凍ウイング車に取り付けられる緊締装置として最も一般的な引き出しフックに適したフック用保冷シールに関する。
【背景技術】
【０００２】
冷蔵・冷凍ウイング車に取り付けられる緊締装置として最も一般的な引き出しフックは、冷蔵・冷凍ウイング車の床部と段差部を形成するすように固着された長手方向に延びる長尺のサイドレールに引き出し可能に取り付けられる。そして、前記段差部の前記フック前後に固定された略円筒状の長尺シールガスケットが固定され、この長尺シールガスケットに冷蔵・冷凍ウイング車のアオリの下端部が当接されている。
【発明の開示】
【発明が解決しようとする課題】
【０００３】
しかし、従来は前記引き出しフックが引き出し可能に取り付けられた部分には、図１に示すように長尺シールガスケットを取り付けることができないので、長尺シールガスケットの当該部分をカットしている。この為、庫内の冷気がシールガスケットをカットした部分から逃げてしまい、気密性が低下し、保冷性能が低下する。
【０００４】
本発明は、このような従来のシールガスケットの問題点に鑑みてなされたものであり、サイドレールの段差部に引き出しフックが取り付けられても、冷気がもれないようなフック用保冷シールを提供することを課題とする。
【課題を解決するための手段】
【０００５】
そのため、本発明のフック用保冷シールは、冷蔵・冷凍ウイング車の床部と段差部を形成するように固着され、長手方向に延びる長尺のサイドレールに引き出し可能に取り付けられるフック用の保冷シールであって、前記フックが差し込まれる複数の貫通孔が形成されたシール本体部と、前記段差部の前記フック前後に固定された略円筒状の長尺シールガスケットに接続される接続部を備える。
また、本発明の他のフック用保冷シールは、さらに略円筒状の短尺シールガスケットとこの短尺シールガスケットに挿着された丸棒状弾性体からなるフック用保冷シールであって、前記接続部は、前記丸棒状弾性体の両端部であり、該両端部がそれぞれ前記長尺シールガスケットに差し込まれて接続されることを特徴とする。
本発明のさらに他のフック用保冷シールは、さらに前記複数の貫通孔が2個所形成され、その間の位置にフックヘソ挿入穴が形成される。
そして、前記複数の貫通孔に後付け用の切り込みが入れられることが好ましく、前記丸棒状弾性体は前記短尺シールガスケットに接着されることが好ましく、前記シール本体部は前記床部に形成された取付レールに嵌め込まれる嵌合部が形成されることが好ましい。
【発明の効果】
【０００６】
本発明のフック用保冷シールは、冷蔵・冷凍ウイング車の床部と段差部を形成するように固着され、長手方向に延びる長尺のサイドレールに引き出し可能に取り付けられるフック用の保冷シールであって、前記フックが差し込まれる複数の貫通孔が形成されたシール本体部と、前記段差部の前記フック前後に固定され、長手方向に延びる略円筒状の長尺シールガスケットに接続される接続部を備えるので、気密を確保しながら引き出しフックの使用も可能となる。
【０００７】
そして、従来の引き出しフック部のシールガスケットをカットしていたシール構造の冷凍・冷蔵ウイング車のボデーと比較して、格段に保冷性能が向上し、冷凍機等の使用頻度を少なくすることができるため、ランニングコストを節減することができる。
【発明を実施するための最良の形態】
【０００８】
本発明の実施の形態について図面を参照して詳細に説明する。図１はフック用保冷シールが取り付けられる冷蔵・冷凍ウイング車の下隅部の概略断面図、図２はフック用保冷シールが取り付けられていない状態を示すフック近傍の斜視図、図３は本発明の実施の形態に係るフック用保冷シールの取り付け方法を説明する斜視図、図４はフック用保冷シールの床部への取り付け方法を説明する斜視図、図５は本発明の他の実施の形態に係るフック用保冷シールの取り付け方法を説明する斜視図、図６は切り込みが入れられたフック用保冷シールの斜視図である。
【０００９】
図１及び図２において、１０は冷蔵・冷凍ウイング車の床部であり、この床部１０と段差部Ｄを形成するように固着され、長手方向に延びる長尺のサイドレール２０に引き出し可能にフック３０が取り付けられる。このようなフック３０は引き出しフックとも呼ばれている。
【００１０】
そして、前記段差部Ｄの前記フック３０前後には、略円筒状の長尺シールガスケット４０が固定され、図３に示すようにフック用保冷シール５０は、前記フック３０が差し込まれる複数の貫通孔５１が形成されたシール本体部５２と前記長尺シールガスケット４０に接続される接続部５３，５３を備える。
【００１１】
図１に示すように、前記長尺シールガスケット４０（及び前記フック用保冷シール５０）に、荷台側部に起倒可能に蝶着されたアオリ６０の下端部が押し付けられて庫内の冷気がもれないように密閉される。
【００１２】
前記フック用保冷シール５０は図３に示すように、略円筒状の短尺シールガスケットとこの短尺シールガスケットに挿着された丸棒状弾性体からなり、前記短尺シールガスケットの部分がシール本体部５２を構成し、前記丸棒状弾性体の両端部が前記接続部５３，５３を構成し、該両端部がそれぞれ前記長尺シールガスケット４０に差し込まれて接続される。なお、前記丸棒状弾性体と前記短尺シールガスケットはゴム製とするのが好ましく、これらは接着剤等で接着されて挿着されるのが好ましい。さらに、前記短尺シールガスケットは前記長尺シールガスケットと同じものをカットして使用すると良い。
【００１３】
前記フック用保冷シール５０は、図２に示すようなフックヘソ３２付きのフック３０用のものであり、前記シール本体部５２には２つの貫通孔５１とその間に位置するフックヘソ挿入穴５６が形成されるが、図５に示すようなフックヘソ無しのフック３０’用のフック保冷用シール５０’のシール本体部５２’には２つの貫通孔５１’が形成される（図３も参照）。そして、前記貫通孔５１に後付け用の切り込み５４が入れられる（図４及び図６参照）。この切り込み５４は貫通孔５１を支点に９０°開くことができるように形成され、前記切り込み５４に前記フック３０の２本の垂直棒３１，３１の部分がはめ込まれる。
【００１４】
また、前記シール本体部５２の床部１０への取り付け面には、前記床部１０に形成された取付レール１１に嵌め込まれる嵌合部５５が形成される（図４では３つの嵌合部５５が形成されている）。
【００１５】
また、フックヘソ無しのフック３０’用のフック用保冷シール５０’は、２つの貫通孔５１’に後付け用の切り込み５４’が入れられる（図５（Ａ）参照）。この切り込み５４’は貫通孔５１’を支点に９０°開くことができるように形成される。フック用保冷シール５０’をフックヘソ無しのフック３０’に取り付けるには、２つの貫通孔５１’の切り込み５４’を開いて前記フック３０’の２本の垂直棒３１’，３１’の部分にはめ込むとともに、接続部５３’を前記長尺シールガスケット４０，４０に差し込むことによって接続すると、図５（Ｂ）に示すように前記長尺シールガスケット４０，４０と継ぎ目がほとんどなく接続され、フック３０’も自由に引き出し可能である。
【図面の簡単な説明】
【００１６】
【図１】フック用保冷シールが取り付けられる冷蔵・冷凍ウイング車の下隅部の概略断面図である。
【図２】フック用保冷シールが取り付けられていない状態を示すフック近傍の斜視図である。
【図３】本発明の実施の形態に係るフック用保冷シールの取り付け方法を説明する斜視図である。
【図４】フック用保冷シールの床部への取り付け方法を説明する斜視図である。
【図５】本発明の他の実施の形態に係るフック用保冷シールの取り付け方法を説明する斜視図である。
【図６】切り込みが入れられたフック用保冷シールの斜視図である。
【符号の説明】
【００１７】
１０  床部                        ２０  サイドレール
３０，３０’  フック              ３１，３１’  垂直棒
３２  フックヘソ                  ４０  長尺シールガスケット
５０，５０’  フック用保冷シール  ５１，５１’  貫通孔
５２，５２’  シール本体部        ５３，５３’  接続部
５４，５４’  切り込み            ５５  嵌合部
６０  アオリ
【図１】
2005037094.tif 000003
【図２】
2005037094.tif 000004
【図３】
2005037094.tif 000005
【図４】
2005037094.tif 000006
【図５】
2005037094.tif 000007
【図６】
2005037094.tif 000008